(57)【要約】【課題】本発明は、ＩＣカードの利用拡大のためのＩＣカード、及びＩＣカードを具備する携帯端末を提供する。また、ＩＣカードに記憶されている情報を容易に提供するサービスシステム、及びその方法を提供する。【解決手段】本発明のＩＣカード６は、開口部２２ａを有する枠体２２と、この開口部２２ａに設けられる少なくともＩＣチップ２３とこのＩＣチップ２３と接続されるアンテナ２４を有するＩＣカード本体２１と、開口部２２ａにこのＩＣカード本体２１を支持するための支持手段と、を具備している。【選択図】      図４
2004206663.tif 000002
【特許請求の範囲】
【請求項１】
開口部を有する枠体と、
前記開口部に設けられる少なくともＩＣチップと前記ＩＣチップと接続されるアンテナを有するＩＣカード本体と、
前記開口部に前記ＩＣカード本体を支持するための支持手段と、
を具備していることを特徴とするＩＣカード。
【請求項２】
請求項１に記載のＩＣカード本体を具備する蓋を有する携帯端末であって、
前記蓋に前記ＩＣカード本体を支持するための支持手段を介して前記ＩＣカード本体を備えているとともに、前記ＩＣカード本体と前記携帯端末の本体との間には磁気シールド部材を備えていることを特徴とするＩＣカードを具備する携帯端末。
【請求項３】
ＩＣカードを本体の一部に具備する携帯端末であって、
前記ＩＣカードと本体との間には磁気シールド部材を備えていることを特徴とするＩＣカードを具備する携帯端末。
【請求項４】
前記磁気シールド部材は、軟磁性粉と結合材との複合材からなることを特徴とする請求項２、又は３に記載のＩＣカードを具備する携帯端末。
【請求項５】
前記ＩＣカード本体を着脱するための着脱手段を備えていることを特徴とする請求項２に記載のＩＣカードを具備する携帯端末。
【請求項６】
ＩＣカードの情報を提供するＩＣカードの情報提供サービスシステムであって、
前記ＩＣカードを利用する利用者の情報の一部を前記ＩＣカード本体に書き込んで前記ＩＣカード本体を発行する発行手段と、
前記ＩＣカード本体の使用によって、前記ＩＣカード本体の情報及び前記利用者情報を読み取り、前記情報を送信する送信手段と、
前記送信手段により送信された情報を格納する格納手段と、
携帯端末からの要求により前記格納手段により格納された情報を携帯端末へ送信する送信手段と、
を具備していることを特徴とするＩＣカードの情報提供サービスシステム。
【請求項７】
前記利用者の情報の一部は、携帯端末の電話番号により特定される会員番号と暗証番号であって、前記送信は、前記携帯端末から送信される会員番号及び暗証番号情報を受信するとともに受信された情報と格納手段により格納された情報とを照合し、一致した場合に行われることを特徴とする請求項６に記載のＩＣカードの情報提供サービスシステム。
【請求項８】
前記管理手段から前記携帯端末へ送信される情報は残金情報であることを特徴とする請求項６、又は７に記載のＩＣカードの情報提供サービスシステム。
【請求項９】
ＩＣカードの情報を提供するＩＣカードの情報提供サービス方法であって、
前記ＩＣカードを利用する利用者の情報の一部を前記ＩＣカード本体に書き込んで前記ＩＣカード本体を発行する工程と、
前記ＩＣカード本体の使用によって、前記ＩＣカード本体の情報、及び前記利用者の情報の一部を読み取るとともに、送信する工程と、
前記送信された情報を格納する工程と、
前記携帯端末からの要求により前記ＩＣカード本体の情報を前記携帯端末へ送信する工程と、
を具備することを特徴とするＩＣカードの情報提供サービス方法。
【発明の詳細な説明】
【０００１】
【発明の属する技術分野】
本発明は、ＩＣカード、ＩＣカードを具備する携帯端末、ＩＣカードの情報提供サービスシステム、及びその方法に関する。
【０００２】
【従来の技術】
一般に、ＩＣカードは国際標準規格（ＩＳＯ／ＩＥＣ１０５３６、ＩＳＯ／ＩＥＣ１４４４３、ＩＳＯ／ＩＥＣ１５６９３等）としての規格化が進められており、その規格にしたがって形状が定まるため、ＩＣカードの形状が固定される。
【０００３】
また、携帯電話機の本体装着部にＩＣカードとの電気的接続をとるためのコネクタ部を設け、且つ装着時にＩＣカードがコネクタ部と接触するように、電池パックにＩＣカードを着脱可能に保持する保持手段を設けているＩＣカードを具備する携帯電話機が存在する（例えば、特許文献１参照）。
【０００４】
また、データ入力用のキー入力部、データ表示用の表示装置、回路駆動用の電源電力を供給する太陽電池、及び外部端子を有し、それらがカードの表面に設けられると共に、随時読み書き可能なメモリ（ＲＡＭ）、読出し専用メモリ（ＲＯＭ）、電気的再書込み可能な読出し専用メモリ（ＥＥＰＲＯＭ）、及び中央処理装置（ＣＰＵ）を有するＩＣが、前記カードの内部に設けられ、カード情報を表示部に表示するＩＣカードは存在する（例えば、特許文献２参照）。
【０００５】
【特許文献１】特許２５２６５００号公報
【特許文献２】特開平１−１１８４９７号公報
【０００６】
【発明が解決しようとする課題】
しかし、ＩＣカードは規格が定まっているため、形状（大きさ等）が固定されてしまうという問題がある。
【０００７】
また、従来のＩＣカードを具備する携帯電話機において、その携帯電話機に装着されるＩＣカードは、携帯電話機専用に製造された（規格外の）ＩＣカードであって、一般に普及して使用されているＩＣカードを利用することができないという問題がある。
【０００８】
また、一般にＩＣカードは表示機能をもっておらず、現在の残金照会等をする際には、ＩＣカードをリーダ装置等により読み込ませる必要があり不便であるという問題がある。また、ＩＣカードに表示機能をもたせると、一般的に使用するにはコストが嵩むという問題がある。
【０００９】
本発明が解決しようとする課題には、上記した問題が一例として挙げられる。
【００１０】
そこで、本発明は、第１の目的としてＩＣカードの利用拡大のためのＩＣカード、及びＩＣカードを具備する携帯端末を提供する。また、第２の目的としてＩＣカードに記憶されている情報を容易に提供するサービスシステム、及びその方法を提供する。
【００１１】
【課題を解決するための手段】
以下、本発明について説明する。なお、本発明の理解を容易にするために添付図面の参照符号を括弧書きにて付記するが、それにより本発明が図示の形態に限定されるものではない。
【００１２】
本発明のＩＣカード（６）は、開口部（２２ａ）を有する枠体（２２）と、前記開口部に設けられる少なくともＩＣチップ（２３）と前記ＩＣチップと接続されるアンテナ（２４）を有するＩＣカード本体（２１）と、前記開口部に前記ＩＣカード本体を支持するための支持手段（２１ａ、２２ｂ）と、を具備している。
【００１３】
このように、一般に使用される規格に準じた形状で形成された開口部を有する枠体の開口部にＩＣカード本体を設けることにより、ＩＣカード本体が規格外であっても、一般のＩＣカードのリーダ／ライタを使用して読み取り、書き込みをすることが可能となる。また、ＩＣカード本体の大きさを自由に設定できる。
【００１４】
また、本発明のＩＣカードを具備する携帯端末（３０ａ、３０ｂ）は、請求項１に記載するＩＣカードのＩＣカード本体を具備する蓋（３１ａ、４０ａ）を有する携帯端末であって、前記蓋に前記ＩＣカード本体を着脱可能に支持するための支持手段（３３、４１）を介して前記ＩＣカード本体を備えているとともに、前記ＩＣカード本体と携帯端末本体との間には磁気シールド部材（３４）を備えている。また、前記磁気シールド部材は、軟磁性粉と結合材との複合材からなる。
【００１５】
このようにすれば、ＩＣカードの規格に左右されず、ＩＣカードの小型化を図れ、ＩＣカードを携帯端末に備えることができるとともに、持ち運びが容易である。さらに、磁気シールド部材をＩＣカードと携帯端末との間に備えることにより、携帯端末によるＩＣカードのアンテナ特性への影響を抑制でき、携帯端末にＩＣカードを密着してもカード本来の機能を維持することが可能となる。
【００１６】
また、前記ＩＣカード本体を着脱するための着脱手段（３５、４４、４５、４２ｄ）を備えている。
【００１７】
このようにすれば、ＩＣカードを容易に着脱できる。
【００１８】
また、本発明のＩＣカードを具備する携帯端末は、ＩＣカードを本体の一部に具備する携帯端末であって、前記ＩＣカードと本体との間には磁気シールド部材を備えている。
【００１９】
このようにすれば、携帯端末によるＩＣカードのアンテナ特性への影響を抑制でき、携帯端末にＩＣカードを密着してもカード本来の機能を維持することが可能となり、ＩＣカードを容易に携帯端末に備えることができる。
【００２０】
また、本発明のＩＣカードの情報提供サービスシステムは、ＩＣカードの情報を提供するＩＣカードの情報提供サービスシステムであって、前記ＩＣカードを利用する利用者の情報の一部を前記ＩＣカード本体に書き込んで前記ＩＣカード本体を発行する発行手段（２０）と、前記ＩＣカード本体の使用によって、前記ＩＣカード本体の情報及び前記利用者情報を読み取り、前記情報を送信する送信手段（１０ｂ）と、前記送信手段により送信された情報を格納する格納手段（１５ａ）と、携帯端末からの要求により前記格納手段により格納された情報を携帯端末へ送信する送信手段（１５ｂ）と、を具備している。
【００２１】
このようにすれば、携帯端末を利用して容易にＩＣカードの情報（残金情報等）を確認できる。また、予め携帯端末の情報をＩＣカードのＩＣチップ（２３）に記憶しておくことにより、携帯端末の破損等によって、例えば、情報が消失してしまった場合に、容易にリーダ／ライタ装置を使用して消失してしまった情報を復元できる。
【００２２】
また、前記利用者の情報の一部は、携帯端末の電話番号により特定される会員番号と暗証番号であって、前記送信は、前記携帯端末から送信される会員番号及び暗証番号情報を受信するとともに受信された情報と格納手段により格納された情報とを照合し、一致した場合に行われる。
【００２３】
このようにすれば、会員番号は携帯端末の番号であるので、暗証番号の入力だけですむので容易である。しかも容易にセキュリティを高くできる。
【００２４】
また、前記管理手段から前記携帯端末へ送信される情報は残金情報である。
【００２５】
このようにすれば、携帯端末を利用して容易にＩＣカードのＩＣチップに記憶されている残金情報を確認できる。
【００２６】
また、本発明のＩＣカードの情報提供サービス方法は、ＩＣカードの情報を提供するＩＣカードの情報提供サービス方法であって、前記ＩＣカードを利用する利用者の情報の一部を前記ＩＣカード本体に書き込んで前記ＩＣカード本体を発行する工程と、前記ＩＣカード本体の使用によって、前記ＩＣカード本体の情報、及び前記利用者の情報の一部を読み取るとともに、送信する工程と、前記送信された情報を格納する工程と、前記携帯端末からの要求により前記ＩＣカード本体の情報を前記携帯端末へ送信する工程と、を具備している。
【００２７】
このようにすれば、携帯端末を利用して容易にＩＣカードの情報（残金情報等）を確認できる。また、予め携帯端末の情報をＩＣカードのＩＣチップに記憶しておくことにより、携帯電話の破損等によって、例えば、情報が消失してしまった場合に、容易にリーダ／ライタ装置を使用して消失してしまった情報を復元できる。
【００２８】
【発明の実施の形態】
以下、図１〜図３を参照して、本発明に係る情報サービス提供システムの実施形態について説明する。また、図４を参照して、本発明に係るＩＣカードの実施形態について説明する。また、図５〜図９を参照して、本発明に係るＩＣカードを具備する携帯端末の実施形態について説明する。
【００２９】
図１は本発明の情報サービス提供システムの構成を示すブロック図である。
【００３０】
本発明の情報サービス提供システム１は、ＩＣカード６の読取／ＩＣカード６への書き込みが可能なＩＣカードリーダ／ライタ装置７を有する端末１０と、前記端末１０と通信手段１２を介して接続される管理センタ１５と、前記管理センタ１５と通信手段１２ａを介して接続されるＩＣカード発行センタ２０と、を備えている。
【００３１】
また、携帯端末３０が管理センタ１５と通信手段１２ｂを介して通信可能に接続されている。
【００３２】
また、通信手段１２〜１２ａは、それぞれの用途に応じて有線、無線のどちらの通信方式であってもよい。
【００３３】
また、ＩＣカードリーダ／ライタ装置７は、ＩＣカード挿入手段としてのＩＣカード挿入部７ａと、挿入されたＩＣカードの情報及び利用者情報を読み取る読み取り手段としての読取部７ｂ、新たな情報をＩＣカードのメモリ（例えばＩＣチップ）に書き込む書き込み手段としての書込部７ｃと、を備えている。また、端末１０は、新たな情報を入力するための入力手段としての入力部１０ａと、前記ＩＣカードリーダ／ライタ装置７の読取部により読み取られた情報を管理手段へ送信する送信手段としての通信部１０ｂと、を備えている。また、ＩＣカードリーダ／ライタ装置７と端末１０とは、電気的に接続されている。
【００３４】
また、ＩＣカードリーダ／ライタ装置７は、非接触型のＩＣカードに対応するためにＩＣカード挿入部７ａに代えて、ＩＣカード接触部を備えるようにしてもよい。
【００３５】
また、端末１０は、ＩＣカード６の挿入により所定の処理を行うための制御部１０ｃを備えている。所定の処理とは、例えば、ＩＣカード６の挿入によりのＩＣカード６のＩＣチップ２３に書き込まれている情報を読み取ったり、新たな情報を書き込んだりする処理や、その処理結果を管理センタ１５に送信する処理等である。
【００３６】
この処理とは、更に具体的には、例えば、店舗等における支払においては、ＩＣカード６に入金されている金額から支払金額を差し引き、その金額を再度ＩＣカード６のＩＣチップ２３に書き込む処理をいう。
【００３７】
また、管理センタ１５は、ＩＣカードリーダ／ライタ装置７から送信される情報を格納するための格納手段としての記憶部１５ａと、格納された情報を携帯端末３０へ送信する送信手段としての通信部１５ｂと、を備えている。
【００３８】
また、管理センタ１５は、携帯端末３０からの要求により所定の処理を行うための制御部１５ｃを備えている。所定の処理とは、例えば、携帯の番号と暗証番号により会員を特定し、残金情報を記憶部１５ａから抽出する処理である。
【００３９】
また、ＩＣカード発行センタ２０は、利用者情報を管理センタへ登録する手段としての端末２０ａと、利用者情報の一部をＩＣカード６に書き込んでＩＣカード６を発行する発行手段としてのＩＣカード発行装置２０ｂと、を備える。なお、この端末２０ａとＩＣカード発行装置２０ｂとは電気的に接続される。
【００４０】
また、ＩＣカード発行センタ２０は、端末２０ａからの入力により所定の処理を行うための制御部２０ｃを備えている。所定の処理とは、例えば、ＩＣカード利用希望者からの要求により、端末２０ａに入力した情報に準じてＩＣカード発行装置２０ｂによりＩＣカード６を発行する処理である。
【００４１】
次に、具体的な実施形態について説明する。なお、理解しやすいように、図１に示す符号を付することにするがこの実施形態に限定されるものではない。また、本実施形態は、ＩＣカード６の使用等により該ＩＣカード６に記録される残金情報を携帯端末３０に送信し、表示するものである。
【００４２】
まず、ＩＣカードの発行方法について説明する。なお、本実施形態においては、ＩＣカードの発行機関としてＩＣカード発行センタ２０を独立して設けているが、このＩＣカード発行センタ２０は店舗ごとに設けられていてもよい。
【００４３】
ＩＣカード発行センタ２０の管理者は、窓口において入会申し込みのあった会員に関する情報を端末２０ａに入力、及び所定の金額を入金する。
【００４４】
情報とは、氏名、性別、年月日、現住所、電話番号、及び携帯端末により残金サービスを利用するための暗証番号等である。
【００４５】
入力された利用者の情報は、ＩＣカード発行装置２０ｂによりＩＣカード６に記憶されるとともにＩＣカード６が発行される。また、発行されるＩＣカード６には会員番号が付与され、この会員番号と利用者の情報とを対応づけることにより利用者が特定される。また、会員番号は会員が有している携帯端末の電話番号とする。
【００４６】
次に、ＩＣカードを使用した際の情報データの流れについて説明する。図２はＩＣカードを使用した際の端末と管理センタ間の処理を示すシーケンス図である。
【００４７】
店舗等によりＩＣカードを使用して買い物等をすると、ＩＣカードリーダ／ライタ装置７へのＩＣカード６の挿入によりＩＣカードリーダ／ライタ装置７と端末１０間で所定の処理が行われる。（例えば、ＩＣカード６のＩＣチップ２３に記憶されている金額を読み取り、所定の金額が差し引かれ、残金情報がＩＣチップ２３に書き込まれる。）また店舗等に設置されている端末８は、ＩＣカードが使用される度、管理センタ１５にカード情報を送信する。管理センタ１５に送信されるカード情報は、会員番号、残金情報、及び照合のために必要な情報（例えば、暗証番号）である。
【００４８】
管理センタ１５は、残金情報を会員番号及び照合のために必要な情報（以下、「暗証番号」と呼ぶ。）に対応づけて記憶部１５ａに格納する。また、再度、ＩＣカードの利用により端末８から送信される残金情報を会員番号により特定され、残金情報が更新される。
【００４９】
次に、携帯端末を利用して管理センタに格納された残金情報を閲覧する際の情報データの流れについて説明する。図３はＩＣカードを使用した際の管理センタと携帯端末間の処理を示すシーケンス図である。
【００５０】
ＩＣカードの会員は携帯端末３０により管理センタ１５と接続し、利用者を特定するための情報（例えば、暗証番号等）を入力する。管理センタ１５は、携帯の番号と暗証番号の情報により会員を特定し、残金情報を記憶部１５ａから抽出し、携帯端末３０にその残金情報を送信する。
【００５１】
故に、携帯端末から入力される会員番号（携帯電話の番号であるので非入力）と暗証番号の情報によって会員である旨が特定され、その情報に基づいて記憶部１５ａに記憶されている残金情報が携帯端末に送信される。
【００５２】
携帯端末３０は、その残金情報を受信し、表示部に表示する。また、残金情報は、メール等により受信するようにしてもよい。
【００５３】
また、上記処理は残金情報を表示するものについてのみの処理に限定して記載しているが、例えば、残金情報以外の開示する情報がある場合には、その情報を特定するための番号を入力することにより、その番号により特定される情報が表示されるようにしてもよい。
【００５４】
図４は本実施形態において使用するＩＣカードの構造図である。
【００５５】
図示のように、ＩＣカード６は、ＩＣカード本体２１と、前記ＩＣカード本体２１の外周を覆うように支持する枠体（以下「本体枠２２」と呼ぶ。）と、から構成される。また、ＩＣカード本体２１は、ＩＣチップ２３と、そのＩＣチップ２３と接続されるアンテナ２４と、を備えている。ＩＣチップ２３は残金情報等を記憶するためのメモリとして機能する。また、本体枠２２は、外形が一般に使用されるＩＣカードの規格に準じた形状で形成される。また、本体枠２２には、開口部２２ａが設けられる。この開口部２２ａはＩＣカード本体２１の形状に準じて形成される。また、ＩＣカード本体２１は使用する目的に準じて自由な形状で形成される。また、ＩＣカード本体２１の長手方向両端部の所定部には凸部２１ａ、２１ａが設けられ、その凸部２１ａと接する本体枠２２の所定部には凹部２２ｂ、２２ｂが設けられる。この凸部２１ａ、及び凹部２２ｂの先端は丸みを帯びて形成され、ＩＣカード本体２１と本体枠２２とが互いに嵌合し接続される。このように、凸部２１ａと凹部２２ｂとが嵌合することにより、ＩＣカード本体２１は、本体枠２２に支持され、ＩＣカード本体２１は本体枠２２から容易に脱落しない。また、通常、ＩＣカードリーダ／ライタ装置７に挿入する際には、本体枠２２にＩＣカード本体２１を嵌合して使用される。
【００５６】
また、ＩＣカード本体２１は、携帯端末に備えられる。この携帯端末は、ＩＣカード本体２１を格納するための格納手段を備えている。格納手段は、内部に備えられるタイプの携帯端末３０ａと外部に備えられるタイプの携帯端末３０ｂとがある。
【００５７】
図５は、ＩＣカード本体を携帯端末の内部に備えるタイプの携帯端末の構造図、図６は、図５のＡ−Ａ断面図である。
【００５８】
図５に示すように、携帯端末３０ａは、バッテリを着脱可能にするための蓋３１ａを有する携帯端末本体３１と、バッテリ装着部３２と、磁気シールド部材３４と、ＩＣカード本体装着部３３と、を備えている。また、図５、図６に示すように、ＩＣカード本体装着部３３は、両端部にＩＣカード支持部３５、３５が備えられる。このＩＣカード支持部３５は、ＩＣカード本体２１を容易に着脱するための着脱手段として機能する。また、ＩＣカード支持部３５の所定部には、ＩＣカード本体２１と嵌合するための凹部３５ａ、３５ａが備えられる。この凹部３５ａの先端はＩＣカード本体２１の凸部２１ａと同形状（丸みを帯びた形状）である。また、ＩＣカード本体装着部３３は、バッテリ装着部３２と携帯端末本体３１の蓋３１ａとの間に備えられる。また、磁気シールド部材３４は、バッテリ装着部３２とＩＣカード本体装着部３３との間に備えられる。
【００５９】
また、磁気シールド部材３４は、耐衝撃性、加工性、絶縁性、重量などの観点から、各種軟磁性粉と各種結合材とからなる複合材であることが好ましい。ここで、各種軟磁性粉としては、フェライト粉、鉄粉、パーマロイやセンダストなどの合金粉などが使用される。また、各種結合材としては、各種プラスチック、合成ゴムなどが使用される。
【００６０】
このように、ＩＣカード本体２１は、蓋３１ａを有する携帯端末本体３１内部の蓋３１ａにＩＣカード本体２１を支持するための支持手段としてのＩＣカード本体装着部３３を介してＩＣカード本体２１を備えているとともに、ＩＣカード本体２１と携帯端末３０ａの本体３１（のバッテリ装着部３３）との間には磁気シールド部材３４を備えている。また、ＩＣカード本体装着部３３には、ＩＣカード本体２１を着脱するための着脱手段としてのＩＣカード支持部３５を備えている。
【００６１】
また、ＩＣカードを、携帯端末内部の蓋３１ａに貼着するなどして固定してもよい。また、この場合のＩＣカードは蓋３１ａの形状等にあった規格外の大きさを有するＩＣカードであってもよい。その場合であっても、ＩＣカードと携帯端末３０ａの本体３１との間には磁気シールド部材３４を備える。
【００６２】
図７はＩＣカード本体を携帯端末の外部に備えるタイプの携帯端末の構造図、図８はＩＣカード本体装着部の構造を示し、図８（ａ）は平面図、図８（ｂ）は図８（ａ）のＢ−Ｂ断面図である。図９は他のＩＣカード本体装着部の構造を示し、図９（ａ）は平面図、図９（ｂ）は図９（ａ）のＣ−Ｃ断面図である。なお、図７において、図５、図６と共通する部分には同一符号を付し、それらの説明は省略する。なお、図９において、図８と共通する部分には同一符号を付し、それらの説明は省略する。
【００６３】
図７に示すように、携帯端末３０ｂは、バッテリ装着部３２を内部に備えバッテリを着脱可能にするための蓋４０ａを有する携帯端末本体４０と、磁気シールド部材３４と、ＩＣカード本体装着部４１と、を備えている。また、図７、図８に示すように、ＩＣカード本体装着部４１は、一方向に開口５０を有する矩形状の中空体４２で形成されているとともに、開口５０と対向する端部には、ＩＣカード本体を支持するためのＩＣカード支持部４４、が備えられる。このＩＣカード支持部４４は、ＩＣカード本体２１を容易に着脱するための着脱手段として機能する。また、図８、図９に示すように、ＩＣカード支持部４４の所定部には、ＩＣカード本体２１と嵌合するための凹部４４ａが備えられる。この凹部４４ａの先端はＩＣカード本体２１の凸部２１ａと同形状（丸みを帯びた形状）である。また、ＩＣカード本体装着部４１は、携帯端末本体４０の蓋４０ａの外部に備えられる。また、磁気シールド部材３４は、蓋４０ａとＩＣカード本体装着部４１との間に備えられる。また、ＩＣカード本体装着部４１の中空体４２には、ＩＣカード本体２１が備えられ、凹部４４ａはＩＣカード本体２１に設けられた凸部２１ａと互いに嵌合され、ＩＣカード本体２１が支持される。
【００６４】
また、図８に示すように、中空体４２は、底板４２ａと、その底板４２ａの外周両側部から垂設して形成される側壁４２ｂ、４２ｂと、その底板４２ａの一方の端部から垂設して形成される端部壁４２ｃと、その側壁４２ｂ、及び端部壁４２ｃにより形成される開口を塞ぐ天板４２ｄと、を備える。また、携帯端末本体４０の蓋４０ａの外部に備えられるＩＣカード本体装着部４１は、中空体４２の底板４２ａと蓋４０ａとが接するように設けられる。また、中空体の開口５０方向の端部からＩＣカード本体支持部方向にかけて、天板４２ｄの所定部には、ＩＣカード本体２１を脱着しやすいようにＵ字溝４５を備えている。
【００６５】
また、図９に示すように、ＩＣカード本体装着部４１ａにおいて、天板４２ｅは、Ｕ字溝４５に代えて、底板４２ａの長手方向の長さより短く設定してもよい。これによりＩＣカード本体２１を脱着しやすくできる。
【００６６】
また、磁気シールド部材３４は底板４２ａの下部に備えられる。また、このＩＣカード本体装着部４１は、蓋４０ａの背面に備えられる。このように、ＩＣカード本体装着部４１は、携帯端末３０ｂの蓋４０ａ背面に磁気シールド部材３４を介して備えられる。
【００６７】
このように、ＩＣカード本体２１は、例えば、図７に示す蓋４０ａを有する携帯端末３０ｂの蓋４０ａの外部にＩＣカード本体２１を支持するための支持手段としてのＩＣカード本体装着部４１を介してＩＣカード本体２１を備えているとともに、ＩＣカード本体２１と携帯端末３０ｂの本体４０との間には磁気シールド部材３４を備えている。また、ＩＣカード本体装着部４１には、ＩＣカード本体２１を着脱するための着脱手段としてのＩＣカード支持部４４及びＵ字溝４５等を備えている。
【００６８】
また、ＩＣカードを、携帯端末３０ｂの蓋４０ａの外部に貼着するなどして固定してもよい。また、この場合のＩＣカードは蓋４０ａの形状等にあった規格外の大きさを有するＩＣカードであってもよい。その場合であっても、ＩＣカードと携帯端末３０ｂの本体４０との間には磁気シールド部材３４を備えている。
【００６９】
次に、他の実施形態におけるＩＣカードの情報提供サービスシステムの具体的な実施例について説明する。図１０は、他の実施形態におけるＩＣカードの情報提供サービスシステムの構成を示すブロック図である。図示のように、ＩＣカードの情報提供サービスシステム６０は、ＩＣカード機能を備えた携帯端末６５と、リーダ／ライタ装置７１と接続された業務用端末機７２と、ＨＴＴＰ制御手段を有する業務支援サーバ７５と、から構成される。
【００７０】
ＩＣカード機能を備えた携帯端末６５は、表示部６６ａを有する携帯端末機６６と、ＩＣカード６７と、を備えている。ＩＣカード６７は、携帯端末機６６に出し入れ自由に備えられていても良いし、携帯端末機６６に固定されていてもよい。また、ＩＣカード６７は残金情報を記憶することが可能であり、自由に入金したり出金したりすることが可能である。これにより、ＩＣカード６７が使用可能な提携会社・施設等の店舗において商品等を購入した際の精算等をすることができる。
【００７１】
提携店舗７０は、少なくともリーダライタ装置７１と、業務用端末機７２と、を備えている。リーダ／ライタ装置７１とは、ＩＣカード６７（ＩＣチップ）に読み書きが可能な手段である。また、リーダ／ライタ装置７１は、ＩＣカード６７に読み書きされた情報を管理するための業務用端末機７２と電気的に接続されている。この情報とは、入金・出金・残金等の情報である。
【００７２】
業務用端末機７２と業務支援サーバ７５とは通信回線７８を介して接続されており、業務用端末機７２において管理（記憶）されている情報を随時業務支援サーバ７５に送信する。また、業務用端末機７２と業務支援サーバ７５とは一体としてもよい。
【００７３】
業務支援サーバ７５は、ＨＴＴＰ制御手段を介し、インターネット８０を通じて情報を発信、及びそれらの管理をするものである。情報とは、例えば、ホームページ（以下、「ＨＰ」と呼ぶ。）と呼ばれるもの等である。ＨＰは、様々なコンテンツを有している。ＨＴＴＰ制御手段は、例えば、インターネットを利用する利用者からの要求に対して、種々のプログラムを実行し、業務支援サーバ７５の記憶部７５ａに記憶されたデータを抽出して、要求されたコンテンツを表示する制御等を行う。例えば、コンテンツの１形態として、ＩＣカード情報（例えば、残金情報）をパスワード等を通じて閲覧できるサービスコンテンツを備えている。
【００７４】
次に、ＩＣカード提携店舗においてＩＣカードで商品の精算を行う場合の処理工程、及びＩＣカードに記憶されている情報を確認する場合の処理工程について図１１を参照しながら説明する。なお、理解し易いように図１０に対応する符号を付することにするがこれにより限定されるものではない。
【００７５】
まず、ＩＣカード提携店舗７０において、商品を精算する際に、ＩＣカード機能付き携帯端末６５のＩＣカード６７をリーダ／ライタ装置７１によって認証する。認証は、ＩＣカード６７が携帯端末機６６に固定されている場合には、この携帯端末機６６（具体的にはＩＣカード６７）をリーダ／ライタ装置７１に近接させる。また、携帯端末機６６からＩＣカードを取り外すことが可能な場合は、ＩＣカード６７をリーダ／ライタ装置７１に挿入してもよい。これによりリーダ／ライタ装置７１は、ＩＣカード６７を認証し、ＩＣカード内のメモリ（ＩＣチップ）に記憶されている情報（例えば、残金情報）を読取り、読み取った情報を業務用端末機７２に送信する。業務用端末機７２は商品の値段情報とＩＣカード内に記憶されている残金情報とを比較する。商品の値段情報と残金情報とを比較し、差額を算出し、その算出結果をリーダ／ライタ装置７１に送信（通知）する。リーダ／ライタ装置７１は、ＩＣカード６７のメモリ（ＩＣチップ）に算出された結果を書込み、処理を終了する。また、算出された結果の情報（以下、「算出結果情報」と呼ぶ。）は、業務支援サーバ７５に伝送される。業務支援サーバ７５は、記憶部７５ａに算出結果情報を記憶する。記憶部７５ａは、過去に読み書きされた情報を時系列に記憶するとともに、最新情報を記憶する。
【００７６】
次に、ＩＣカード内の残金を確認する場合は、携帯端末６６からインターネット８０を通じて特定のサイトに接続する。特定のサイトとは、例えば、提携店舗７０が管理するサイトである。次に、ＩＣカード内の残金を確認するためのサービスコンテンツに接続し、特定の暗号（パスワード）等を入力し、照会する。
【００７７】
業務支援サーバ７５は、ＨＴＴＰ制御手段を介して、照会した結果が適合するか否かを判断し、適合する場合は、残金情報を抽出する旨の要求を記憶部７５ａに行う。またその要求に対応して記憶部７５ａから残金情報が抽出され、抽出された残金情報がＨＴＴＰ制御手段を介してインターネット８０上に表示される。
【００７８】
携帯端末６６には、表示部６６ａを介して、抽出された残金情報が表示され、利用者はその残金情報を確認することができる。これにより、利用者は、ＩＣカード６７のメモリ（ＩＣチップ）に記憶された残金情報を携帯端末６６によって確認する（表示させる）ことが可能となる。
【００７９】
このように、ＩＣカード６７を使用する際に、わざわざリーダ／ライタ装置７１を介して確認しなくても、インターネット上に接続するだけで、ＩＣカード６７のメモリ（ＩＣチップ）に記録された残金情報や過去の入出金情報等を確認することが可能となる。
【００８０】
以上に説明したように、本発明のＩＣカード６は、開口部２２ａを有する本体枠２２と、この開口部２２ａに設けられる少なくともＩＣチップ２３とこのＩＣチップと接続されるアンテナ２４を有するＩＣカード本体２１と、この開口部２２ａにＩＣカード本体２１を支持するための支持手段としてのＩＣカード本体２１の両端部に設けられる凸部２１ａと、その凸部２１ａの位置に合わせて本体枠２２の所定部に設けられる凹部２２ｂと、を具備している。
【００８１】
このように、一般に使用される規格に準じた形状で形成された開口部を有する枠体の開口部にＩＣカード本体を設けることにより、ＩＣカード本体が規格外であっても、一般のＩＣカードのリーダ／ライタ装置を使用して読み取り、書き込みをすることが可能となる。また、ＩＣカード本体の大きさを自由に設定できる。
【００８２】
また、本発明のＩＣカードを具備する携帯端末３０ａ、３０ｂは、ＩＣカード本体２１を具備する蓋３１ａ、４０ａを有する携帯端末であって、この蓋３１ａ、４０ａにＩＣカード本体２１を着脱可能に支持するための支持手段としてのＩＣカード本体装着部３３、４１を介してこのＩＣカード本体２１を備えているとともに、このＩＣカード本体２１と携帯端末本体３１、４０との間には磁気シールド部材３４を備えている。また、磁気シールド部材３４は軟磁性粉と結合材との複合材からなる。また、ＩＣカード本体２１を着脱するための着脱手段としてのＩＣカード支持部３５、３５、ＩＣカード支持部４４とＵ字溝４５、ＩＣカード支持部４４と底板４２ａよりも短く設定された天板４２ｄのいずれかを備えている。
【００８３】
このようにすれば、ＩＣカードの規格に左右されず、ＩＣカードの小型化を図れ、ＩＣカードを携帯端末に備えることができるとともに、持ち運びが容易である。さらに、磁気シールド部材３４をＩＣカード本体２１と携帯端末本体３１、４０との間に備えることにより、携帯端末本体３１、４０によるＩＣカード本体２１のアンテナ特性への影響を抑制でき、携帯端末本体３１、４０にＩＣカード本体２１を密着してもＩＣカード本来の機能を維持することが可能となる。また、容易にＩＣカードを携帯端末から着脱できる。
【００８４】
また、本発明のＩＣカードを具備する携帯端末は、ＩＣカードを本体２１の一部に具備する携帯端末であって、前記ＩＣカードと本体２１との間には磁気シールド部材３４を備えている。
【００８５】
このようにすれば、携帯端末によるＩＣカードのアンテナ特性への影響を抑制でき、携帯端末にＩＣカードを密着してもカード本来の機能を維持することが可能となり、ＩＣカードを容易に携帯端末に備えることができる。
【００８６】
また、本発明のＩＣカードの情報提供サービスシステムは、ＩＣカード６を利用する利用者の情報の一部をこのＩＣカード本体２１に書き込んでこのＩＣカード本体２１を発行する発行手段としてのＩＣカード発行センタ２０と、このＩＣカード本体２１の使用によって、ＩＣカード本体２１の情報及び利用者情報を読み取り、この情報を管理センタ１５へ送信する端末１０の通信部１０ｂと、この通信部８ｂにより送信された情報を格納するための管理センタ１５の記憶部１５ａと、携帯端末３０からの要求により記憶部１５ａにより格納された情報を携帯端末３０へ送信する管理センタ１５の通信部１５ｂと、を具備している。
【００８７】
このようにすれば、携帯端末を利用して容易にＩＣカードのメモリ（ＩＣチップ）に記憶されている情報（残金情報等）を確認できる。また、予め携帯端末の情報をＩＣカードのメモリ（ＩＣチップ）に記憶しておくことにより、携帯電話の破損等によって、例えば、情報が消失してしまった場合に、容易にリーダ／ライタ装置を使用して消失してしまった情報を復元できる。
【００８８】
また、利用者の情報の一部は、携帯端末３０の電話番号により特定される会員番号と暗証番号であって、携帯端末３０への送信は、携帯端末３０から送信される会員番号及び暗証番号情報を受信するとともに受信された情報と記憶部に格納された情報とを照合し、一致した場合に行われる。
【００８９】
このようにすれば、会員番号は携帯端末の電話番号であるので、暗証番号の入力だけですむので容易である。しかも容易にセキュリティを高くできる。
【００９０】
また、管理センタ１５から携帯端末３０へ送信される情報は残金情報である。
【００９１】
このようにすれば、携帯端末を利用して容易にＩＣカードの残金情報を確認できる。
【００９２】
また、本発明のＩＣカードの情報提供サービス方法は、ＩＣカード６を利用する利用者の情報の一部をＩＣカード本体２１のＩＣチップ２３に書き込んでＩＣカード本体２１を発行する工程と、ＩＣカード本体２１の使用によって、このＩＣカード本体２１の情報、及び利用者の情報の一部を読み取るとともにその情報を管理センタ１５に送信する工程と、送信された情報を管理センタ１５の記憶部１５ａに格納する工程と、携帯端末３０からの要求によりＩＣカード本体２１の情報を携帯端末３０へ送信する工程と、を具備している。
【００９３】
このようにすれば、携帯端末を利用して容易にＩＣカードのＩＣチップに記憶されている情報（残金情報等）を確認できる。また、予め携帯端末の情報をＩＣカードのＩＣチップに記憶しておくことにより、携帯電話の破損等によって、例えば、情報が消失してしまった場合に、容易にリーダ／ライタ装置を使用して消失してしまった情報を復元できる。
【００９４】
本発明は以上の実施形態に限定されることなく、種々の形態にて実施してよい。例えば、ＩＣカード６において、ＩＣカード本体２１を本体枠２２に支持するための支持手段としての凸部２１ａはＩＣカード本体２１の外周の一部であればどこでも構わない。又は凹部２２ｂは、凸部２１ａの位置に合わせて本体枠２２の所定部に設けられればよい。
【００９５】
また、本発明のＩＣカードの情報提供サービスシステムにおいて使用するＩＣカードは、一般に使用されているＩＣカード（一般にＩＣカードと呼ばれる規格で形成されているＩＣカード）であっても構わない。
【図面の簡単な説明】
【図１】本発明の情報サービス提供システムの構成を示すブロック図である。
【図２】ＩＣカードを使用した際の端末と管理センタ間の処理を示すシーケンス図である。
【図３】ＩＣカードを使用した際の管理センタと携帯端末間の処理を示すシーケンス図である。
【図４】本実施形態において使用するＩＣカードの構造図である。
【図５】ＩＣカード本体を携帯端末の内部に備えるタイプの携帯端末の構造図である。
【図６】図５のＡ−Ａ断面図である。
【図７】ＩＣカード本体を携帯端末の外部に備えるタイプの携帯端末の構造図である。
【図８】ＩＣカード本体装着部の構造を示し、図８（ａ）は平面図、図８（ｂ）は図８（ａ）のＢ−Ｂ断面図である。
【図９】他のＩＣカード本体装着部の構造を示し、図９（ａ）は平面図、図９（ｂ）は図９（ａ）のＣ−Ｃ断面図である。
【図１０】他の実施形態における情報サービス提供システムの構成を示すブロック図である。
【図１１】ＩＣカードを使用した際の処理工程と、ＩＣカードに記憶されている情報を確認する際の処理工程を示すシーケンス図である。
【符号の説明】
６  ＩＣカード
１０ｂ  送信手段（通信部）
１５ａ  格納手段（記憶部）
１５ｂ  送信手段（通信部）
２０  発行手段（ＩＣカード発行センタ）
２１ａ  支持手段（凸部）
２２  枠体（本体枠）
２２ａ  開口部
２２ｂ  支持手段（凹部）
２３  ＩＣチップ
２４  アンテナ
３０ａ、３０ｂ  携帯端末
３１ａ、４０ａ  蓋
３３、４１  支持手段（ＩＣカード本体装着部）
３４  磁気シールド部材
３５、４４  着脱手段（ＩＣカード支持部）
４２ｄ  天板
４５  着脱手段（Ｕ字溝）
６６ａ  表示部
６６  携帯端末
７１  リーダ／ライタ装置
７２  業務用端末機
７５  業務支援サーバ
８０  インターネット
【図１】
2004206663.tif 000003
【図２】
2004206663.tif 000004
【図３】
2004206663.tif 000005
【図４】
2004206663.tif 000006
【図５】
2004206663.tif 000007
【図６】
2004206663.tif 000008
【図７】
2004206663.tif 000009
【図８】
2004206663.tif 000010
【図９】
2004206663.tif 000011
【図１０】
2004206663.tif 000012
【図１１】
2004206663.tif 000013